【手続補正書】
【提出日】平成18年6月7日(2006.6.7)
【手続補正１】
【補正対象書類名】明細書
【補正対象項目名】特許請求の範囲
【補正方法】変更
【補正の内容】
【特許請求の範囲】
【請求項１】  第１の駆動モータにより駆動され吸込んだ室内の空気を室外に排気する排気送風機を有する排気空間部、
隔壁により前記排気空間部と仕切られるとともに第２の駆動モータにより駆動され吸込んだ前記室外の空気を前記室内に給気する給気送風機を有する給気空間部、
前記排気空間部、前記給気空間部および前記隔壁を有するとともに部屋の壁面に取り付けられる本体箱体
を備えた給排気換気扇。
【請求項２】  排気送風機または給気送風機のいずれか一方を運転または停止させるスイッチを備えた請求項１に記載の給排気換気扇。
【請求項３】  排気送風機または給気送風機のいずれか一方の駆動力を切り換えるスイッチを備えた請求項１に記載の給排気換気扇。
【請求項４】  第１の駆動モータの回転軸および第２の駆動モータの回転軸が水平であることを特徴とする請求項１に記載の給排気換気扇。
【請求項５】  第１の駆動モータにより駆動され吸込んだ室内の空気を排気用吹出口から室外に排気する排気送風機を有する排気空間部、
隔壁により前記排気空間部と仕切られるとともに第２の駆動モータにより駆動され給気用吸込口から吸込んだ前記室外の空気を前記室内に給気する給気送風機を有する給気空間部、
前記排気空間部、前記給気空間部および前記隔壁を有するとともに部屋の壁面に取り付けられる本体箱体、
前記排気空間部内で前記排気用吹出口よりも上位に、または前記給気空間部内で前記給気用吸込口よりも上位に設けられた電気部品収納部
を備えた給排気換気扇。
【請求項６】  第１の駆動モータにより駆動され吸込んだ室内の空気を引き戸式の第１の開閉シャッタにより開閉される排気用吹出口から室外に排気する排気送風機を有する排気空間部、
隔壁により前記排気空間部と仕切られるとともに、第２の駆動モータにより駆動され引き戸式の第２の開閉シャッタにより開閉される給気用吸込口から吸込んだ前記室外の空気を前記室内に給気する給気送風機を有する給気空間部、
前記排気空間部、前記給気空間部および前記隔壁を有するとともに部屋の壁面に取り付けられる本体箱体
を備えた給排気換気扇。
【請求項７】  排気送風機の運転または停止と第１の開閉シャッタとが連動し、給気送風機の運転または停止と第２の開閉シャッタとが連動することを特徴とする請求項６に記載の給排気換気扇。
【請求項８】  排気送風機は第１の開閉シャッタが閉じた状態から所定の開いた状態にある場合に停止するとともに前記第１の開閉シャッタが所定の開いた状態から全開状態にある場合に運転し、給気送風機は第２の開閉シャッタが閉じた場合に停止するとともに前記第２の開閉シャッタが開いた場合に運転することを特徴とする請求項７に記載の給排気換気扇。
【請求項９】  第１の駆動モータにより駆動され吸込んだ室内の空気を室外に排気する排気送風機を有する排気空間部、
隔壁により前記排気空間部と仕切られるとともに、羽根が回転軸に装着された第２の駆動モータにより駆動され給気用吸込口から吸込んだ前記室外の空気を前記室内に給気する給気送風機を有する給気空間部、
前記排気空間部、前記給気空間部および前記隔壁を有するとともに部屋の壁面に取り付けられる本体箱体、
前記給気用吸込口と前記給気送風機の羽根との間に着脱されるエアーフィルタ
を備えた給排気換気扇。
【請求項１０】  エアーフィルタは本体箱体の前面から抜き差しされることを特徴とする請求項９に記載の給排気換気扇。
【請求項１１】  エアーフィルタが着脱されるホルダ、および給気送風機の羽根を覆って前記エアーフィルタを通った空気を吸込むとともに室内に吹出す給気送風機用ファンケーシングを備えた請求項９に記載の給排気換気扇。
【請求項１２】  排気送風機は軸流式または斜流式であることを特徴とする請求項１に記載の給排気換気扇。
【請求項１３】  給気送風機は多翼式であることを特徴とする請求項１２に記載の給排気換気扇。
【請求項１４】  第１の駆動モータの回転軸には羽根が装着され、外周方向が前記羽根の外周方向であるとともに前記羽根および前記第１の駆動モータの外殻を覆い、最下端面が排気用吹出口の下端面と同じであるとともに前記排気用吹出口に気流を導く吹出ガイドを有する排気送風機用ファンケーシング、および前記排気送風機用ファンケーシングの円筒軸方向の一端に設けられた前記羽根外径の７０％程度の内径のベルマウスを備えた請求項１２に記載の給排気換気扇。
【手続補正２】
【補正対象書類名】明細書
【補正対象項目名】０００６
【補正方法】変更
【補正の内容】
【０００６】
【課題を解決するための手段】
前記課題を達成するための本発明に係る給排気換気扇は、第１の駆動モータにより駆動され吸込んだ室内の空気を室外に排気する排気送風機を有する排気空間部、隔壁により排気空間部と仕切られるとともに第２の駆動モータにより駆動され吸込んだ室外の空気を室内に給気する給気送風機を有する給気空間部、排気空間部、給気空間部および隔壁を有するとともに部屋の壁面に取り付けられる本体箱体を備えたことを特徴とする。
【手続補正３】
【補正対象書類名】明細書
【補正対象項目名】００１０
【補正方法】変更
【補正の内容】
【００１０】
排気送風機１１と給気送風機１２は、第１の駆動モータおよび第２の駆動モータである各駆動モータ１３，１４の回転軸がほぼ同一線上に水平に設けられ、各回転軸にそれぞれ軸流羽根１５と多翼羽根１６が装着されている。排気送風機１１の軸流羽根１５は、吸込側に位置し、駆動モータ１３は吹出側に位置している。排気送風機１１には、軸流羽根１５と駆動モータ１３を覆うファンケーシング１７が備えられている。ファンケーシング１７は、軸流羽根１５の外周部をその後縁まで覆う円筒構造１８と、この円筒構造１８に繋がり、駆動モータ１３の外殻を覆うとともに吹出口８に導く半径方向に向いた吹出ガイド１９を持つカバー構造２０とから構成されている。円筒構造１８は隔壁１に取付けられたカバー構造２０の端に軸方向の操作で着脱できるように嵌め装着されている。吹出ガイド１９の最下端面は吹出口８の下端面とほぼ同位置になっている。また、ファンケーシング１７における円筒構造１８の一端には、軸流羽根１５の外径の７０％程度の内径を有するベルマウス２１が形成され、排気送風機１１の吸込口となっている。排気送風機１１の駆動モータ１３はノッチ切換えにより強弱運転が可能であり、独立して運転／停止させることができる。
【手続補正４】
【補正対象書類名】明細書
【補正対象項目名】００１５
【補正方法】変更
【補正の内容】
【００１５】
本体箱体４の背面にある吸込口７と吹出口８には、第２の開閉シャッタおよび第１の開閉シャッタであり、吸込口７および吹出口８のそれぞれを開閉する引き戸式の開閉シャッタ３４が設けられている。吸込口７の開閉シャッタ３４は、スイッチ３５により給気送風機１２と連動し、吹出口８の開閉シャッタ３４は、スイッチ３６により排気送風機１１と連動する。各開閉シャッタ３４は、吹出口８と吸込口７の部分に設けられた空間に収められ、背面板３７によって背面側から押さえられている。背面板３７の背面には断熱材が全面に貼り付けられ、この部分での結露が防止されている。各開閉シャッタ３４にはその下端に操作摘み３８が設けられ、本体箱体４の下面に形成されたスリットから外部に引出されている。各スイッチ３５，３６は、各開閉シャッタ３４の全閉位置付近でスイッチ動作する位置に設けられ、開閉シャッタ３４の開閉具合により処理風量を変更できるようになっている。